(57)【要約】  【課題】  閉鎖構造の光源装置の冷却性を高める。  【解決手段】  光源装置３０は、ボックス状の筐体の内部に、略コ字状の固定部材５０で光源２１を固定配置すると共に、固定部材５０の把持壁部５１、５５及び側壁部５２〜５４と、筐体の周壁部３２〜３４とを対向させて両者の間にダクト空間７０を形成する。筐体は周壁部３２〜３４の内面３２ｂ〜３４ｂに内部フィン３９を設け、外面３２ａ〜３４ａに外部フィン３８を設ける。閉鎖部材６０を筐体の開口に取り付けて筐体の内部を閉鎖すると共に、閉鎖部材６０に取り付けた循環ファン６４によりダクト空間７０に沿って空気を循環させて光源２１を冷却すると共に、光源２１を冷却して温度が高くなった空気を内部フィン３９と接触させて、空気の熱を内部フィン３９へ移動させ、内部フィン３９に移動した熱を外部フィン３８から外方へ放出する。【選択図】      図４
2006350237.tif 000002
【特許請求の範囲】
【請求項１】
凹状のリフレクタに発光体を取り付けた光源が、該光源の光を通過させる通過孔を設けた収納箱の内部に配置してある光源装置において、
前記光源は、リフレクタ内が前記収納箱の内部空間と連通するように配置してあり、
前記収納箱の周壁の内周面に間隔を隔てて対向する対向壁と、
前記光源のリフレクタ内の気体を前記対向壁及び前記収納箱の内周面の間に形成された空間を通じて循環させる循環ファンと
を備えることを特徴とする光源装置。
【請求項２】
前記内周面には、気体の循環方向に沿って延在する内部フィンが設けてある請求項１に記載の光源装置。
【請求項３】
前記内部フィンには、切欠が形成してある請求項２に記載の光源装置。
【請求項４】
前記リフレクタには、通気部が形成してあり、
該通気部を通じてリフレクタ内は前記収納箱の内部空間と連通しており、
前記内部フィンは平行的に複数設けてあり、
前記通気部と位置的に対応する内部フィン間隔は、前記通気部と位置的に対応しない内部フィン間隔に比べて狭くしてある請求項２又は請求項３に記載の光源装置。
【請求項５】
前記リフレクタには、通気部が形成してあり、
該通気部を通じてリフレクタ内は前記収納箱の内部空間と連通しており、
前記内部フィンは平行的に複数設けてあり、
前記通気部と位置的に対応しない内部フィンは、気体の循環方向で上流側になる端部を前記通気部と位置的に対応する内部フィンに比べて気体の循環方向で下流となる位置に設けてある請求項２又は請求項３に記載の光源装置。
【請求項６】
前記収納箱の外面には、外部フィンが設けてある請求項１乃至請求項５のいずれか１つに記載の光源装置。
【請求項７】
前記外部フィンは、前記内部フィンと同方向に延在する請求項６に記載の光源装置。
【請求項８】
前記循環ファンは前記収納箱の周壁の一部分に取り付けてあり、
前記循環ファンが取り付けてある部分は、他の周壁部分に比べて熱伝導率が低い材質で形成してある請求項１乃至請求項７のいずれか１つに記載の光源装置。
【請求項９】
光源装置が装着されるハウジング部を備え、該ハウジング部には光源装置を出入させる出入口、及び内部に装着した光源装置から発せられる光を通過させる光通過口が形成してあるランプハウジングにおいて、
前記ハウジング部の内部の気体を吸引するように該ハウジング部に取り付けてある吸引ファンと、
該吸引ファンが吸引した気体を排出する排気ダクト部と
を備えることを特徴とするランプハウジング。
【請求項１０】
請求項１乃至請求項８のいずれか１つに記載の光源装置と、
請求項９に記載のランプハウジングと
を備え、
前記ランプハウジングのハウジング部に前記光源装置が装着してあることを特徴とするランプユニット。
【請求項１１】
前記光源装置の収納箱には、前記循環ファンへの給電に係る第１コネクタが取り付けてあり、
前記ランプハウジングのハウジング部には、前記第１コネクタに接合される第２コネクタが取り付けてあり、
前記第１コネクタ及び第２コネクタは、前記光源装置が前記ハウジング部に装着された状態で接合される位置に取り付けてある請求項１０に記載のランプユニット。
【請求項１２】
前記光源装置の収納箱には、前記光源への給電に係る第３コネクタが取り付けてあり、
前記ランプハウジングのハウジング部には、前記第３コネクタに接合される第４コネクタが取り付けてあり、
前記第３コネクタ及び第４コネクタは、前記光源装置が前記ハウジング部に装着された状態で接合される位置に取り付けてある請求項１０又は請求項１１に記載のランプユニット。
【請求項１３】
前記ハウジング部の内部には、前記光源装置の装着を案内する案内部が設けてある請求項１０乃至請求項１２のいずれか１つに記載のランプユニット。
【請求項１４】
前記ハウジング部の出入口は、前記光通過口に対向しており、
前記案内部は、ハウジング部に装着された前記光源装置に係る光軸が、前記ランプハウジングの光学系に係る光学中心と一致するように前記光学装置を位置決めするようにしてある請求項１３に記載のランプユニット。
【請求項１５】
請求項１０乃至請求項１４のいずれか１つに記載のランプユニットと、
該ランプユニットが有する光源から発せられる光で画像に係る変調光を生成する空間光変調素子と、
該空間光変調素子が生成した変調光を被投影体へ投影する投影レンズと
を備えることを特徴とする投影型画像表示装置。
【発明の詳細な説明】
【技術分野】
【０００１】
本発明は、防爆構造に係る光源に対して、冷却性を向上すると共に良好なメンテナンス性を確保した光源装置、ランプハウジング、ランプユニット、及び投影型画像表示装置に関する。
【背景技術】
【０００２】
従来、光源を用いて生成した画像に係る変調光をスクリーンに投影してスクリーン上に画像表示を行うプロジェクタ（投影型画像表示装置）が存在する。このような投影型画像表示装置は、変調光の投影方式に応じてフロントプロジェクション方式と、リアプロジェクションテレビに代表されるリアプロジェクション方式に分かれる。投影型画像表示装置に用いられる光源は、色再現性が優れた精細な画像表示のために高輝度であることが要求され、メタルハライドランプ及び高圧水銀ランプ等のランプ（放電式の発光体）を凹状のリフレクタに取り付けた構造の光源が適用されることが多い。
【０００３】
光源の発光体（ランプ）は、内部に水銀、ハロゲンガス等が封入されると共に、点灯時には内部圧力が１５０気圧を越えるため、何らかの要因により破裂すると大音量の破裂音が発生すると共に、封入物及び発光体を形成する管部材のガラス片等が飛散する。そのため、リフレクタの開口側をガラス板又は光学レンズ等で閉鎖し、破裂音及び封入物等の漏洩を防ぐようにした防爆仕様の光源がある。
【０００４】
また、光源は一般的に、光軸が規定の方向に合うように固定された状態で収納箱に収められ、光源装置としてユニット化されることが多い。ユニット化された光源装置は、投影型画像表示装置の筐体内に取り付けられる際、光学系に応じた所定箇所に位置決めできるように、筐体内には光源装置を装着するランプハウジングが通常設けられている。
【０００５】
また、光源は使用中、発光に伴い高温（発光体の最も高温になる箇所で約１０００℃）になるため、光源を収納した光源装置内に空気を通過させて光源を冷却するようにした光源装置が存在する（下記の特許文献１、２参照）。さらに、光源装置の内部を密閉して防爆性を高めると共に、光源装置の内部の空気を循環させるファンを設けて光源を冷却するようにした光源装置も存在する（下記の特許文献３、４参照）。
【特許文献１】特開２０００−３６２１４号公報
【特許文献２】特開２０００−３６２１５号公報
【特許文献３】実開平２−１１３７３１号公報
【特許文献４】特開２００２−７５０１４号公報
【発明の開示】
【発明が解決しようとする課題】
【０００６】
特許文献１、２に係る光源装置では、冷却のため光源装置内を外部と連通させているため、防爆性に関して内部を密閉した光源装置に比べて劣ると云う問題がある。一方、内部を密閉した特許文献３、４に係る防爆構造の光源装置では、冷却のために空気を循環させているが、循環する空気は高温になった光源と触れることで、空気自体の温度も上昇するため、時間の経過と共に冷却効率が低下して充分な冷却性を確保できないという問題がある。
【０００７】
また、光源は一定期間の使用に伴い製品寿命に達するので、一定期間毎に交換する必要があるが、上述した特許文献１乃至４に係る光源装置では、交換のための脱着性に充分な配慮がなされていないため、交換に手間がかかると共に、新たに取り付けた光源装置の光学的な位置決めが適切であるか否かに注意しなければならないと云う問題がある。
【０００８】
本発明は、斯かる問題に鑑みてなされたものであり、防爆的な構造の光源装置に対して内部を循環させる空気の外部との熱交換性を高めて冷却性を向上させた光源装置、ランプハウジング、ランプユニット、及び投影型画像表示装置を提供することを目的とする。
また、本発明は光源装置を容易に脱着可能にしてメンテナンス性を高めると共に、装着した光源装置を容易に位置決めできるようにした光源装置、ランプハウジング、ランプユニット、及び投影型画像表示装置を提供することを目的とする。
【課題を解決するための手段】
【０００９】
上記課題を解決するために本発明に係る光源装置は、凹状のリフレクタに発光体を取り付けた光源が、該光源の光を通過させる通過孔を設けた収納箱の内部に配置してある光源装置において、前記光源は、リフレクタ内が前記収納箱の内部空間と連通するように配置してあり、前記収納箱の周壁の内周面に間隔を隔てて対向する対向壁と、前記光源のリフレクタ内の気体を前記対向壁及び前記収納箱の内周面の間に形成された空間を通じて循環させる循環ファンとを備えることを特徴とする。
【００１０】
本発明にあっては、光源のリフレクタ内の気体を、対向壁により収納箱の内周面に沿って形成されるダクト空間を通じて循環させるので、循環する気体は収納箱の内周面と接触しながら進行することになる。収納箱を形成する周壁の温度は、光源冷却のため高温のリフレクタ内を通過した気体の温度に比べて低いため、光源の冷却により温度が高くなった気体は循環する間に内周面と連続的に接触することで、気体の熱が収納箱の周壁へ移動すると云う熱伝導が継続的に生じて気体から熱が奪われる。その結果、熱が奪われて温度の下がった気体は高温の光源を効率的に冷却し、収納箱で光源を被う密閉型の光源装置でも充分な冷却性が確保される。
【００１１】
また、本発明に係る光源装置は、前記内周面には、気体の循環方向に沿って延在する内部フィンが設けてあることを特徴とする。
本発明にあっては、収納箱の内周面には内部フィンが設けてあるので、ダクト空間を通じて循環する気体と、収納箱側との接触面積が増大するため、気体が有する熱を一段と収納箱側へ移動させやすくなり、気体から周壁への熱伝達効率を向上でき、結果として光源の冷却性も高められる。また、内部フィンは気体の循環方向に沿って延在するため、内部フィンの存在が気体の循環を妨げることを最小限に抑制でき、良好な気体の循環を維持して光源冷却の安定化を図れる。
【００１２】
さらに、本発明に係る光源装置は、前記内部フィンには、切欠が形成してあることを特徴とする。
本発明にあっては、内部フィンに切欠が形成してあるので、内部フィンの存在により分断された空間領域が前記切欠を通じて連通することなる。そのため、内部フィンで分断された空間領域を循環する気体は、切欠を通過して相互に流れ込むことが可能となり、相異した空間領域を通過する気体間での温度の片寄りを解消し、一様な温度分布を確保して光源冷却の効率化に貢献できる。また、切欠を形成した箇所では、内部フィンへ気体が衝突して接触の度合も高まるので、気体から収納箱側への熱移動の程度も高められる。
【００１３】
さらにまた、本発明に係る光源装置は、前記リフレクタには、通気部が形成してあり、該通気部を通じてリフレクタ内は前記収納箱の内部空間と連通しており、前記内部フィンは平行的に複数設けてあり、前記通気部と位置的に対応する内部フィン間隔は、前記通気部と位置的に対応しない内部フィン間隔に比べて狭くしてあることを特徴とする。
【００１４】
本発明にあっては、リフレクタに通気部を形成することで、リフレクタ内を気体が通過しやすくなり、リフレクタの内周面（反射面）及び発光体から効率良く熱を奪い取ることが可能になる。また、複数の内部フィンを設けることで、ダクト空間を循環する気体との接触面積の増大を図れ、循環する気体の温度を一段と下げられる。
【００１５】
なお、複数の内部フィンを設けた場合、通気部を形成した位置に応じた内部フィンの間は、リフレクタの通気部を通過した気体が自然に流れ込むが、通気部から離れた位置の内部フィンの間には気体が流れ込む割合が減少する傾向となる。しかし、本発明では、通気部の応じた位置の内部フィンの間隔は、他の箇所の内部フィンの間隔に比べて狭いので流入抵抗が大きくなり、通気部に応じた位置の内部フィンの間に気体が流れ込みにくくなる一方、通気部から離れた位置の内部フィンの間に気体が流れ込みやすくなる。その結果、内周面全体としては気体の流れを一様にでき、気体温度の片寄りを防止できる。
【００１６】
また、本発明に係る光源装置は、前記リフレクタには、通気部が形成してあり、該通気部を通じてリフレクタ内は前記収納箱の内部空間と連通しており、前記内部フィンは平行的に複数設けてあり、前記通気部と位置的に対応しない内部フィンは、気体の循環方向で上流側になる端部を前記通気部と位置的に対応する内部フィンに比べて気体の循環方向で下流となる位置に設けてあることを特徴とする。
【００１７】
本発明にあっては、リフレクタでの通気部の形成により、リフレクタ内をスムーズに気体が通過できるようになり、リフレクタ及び発光体に対する冷却性を高められ、また、複数の内部フィンを設けることで、ダクト空間を循環する気体との接触面積を増やして、温度の高くなった気体から収納箱側への熱移動を一段と効率良く行える。
【００１８】
なお、複数の内部フィンを設けることで、通気部を形成した位置に応じた内部フィンの間へ気体が流れやすくなる一方、通気部から離れた位置の内部フィンの間へは気体が流れにくくなるが、本発明では、通気部から離れた位置の内部フィンの端部を通気部に応じた位置の内部フィンの端部に比べて後退させることで、通気部から離れた位置の流入抵抗を相対的に低下させて、気体を流れやすくする。その結果、内周面全体としては気体の流れを同等になり、気体温度を万遍なく一様にできる。
【００１９】
さらに、本発明に係る光源装置は、前記収納箱の外面には、外部フィンが設けてあることを特徴とする。
本発明にあっては、収納箱の外面に外部フィンを設けているので、収納箱が外部空間と接触する面積の増大を図れる。そのため、収納箱の内周面に沿って循環する気体から移動してきた熱を外部へ効率良く放出でき、収納箱自体に熱が留まることを防止して、光源に対して良好な冷却性を長時間持続できる。
【００２０】
さらにまた、本発明に係る光源装置は、前記外部フィンは、前記内部フィンと同方向に延在することを特徴とする。
本発明にあっては、外部フィンは、内部フィンと同方向に延在するので、内部フィンで吸収された熱がスムーズに外部フィンへ移動し、外部フィンから外部の空間へ効率的に熱を放出できるようになる。
【００２１】
また、本発明に係る光源装置は、前記循環ファンは前記収納箱の周壁の一部分に取り付けてあり、前記循環ファンが取り付けてある部分は、他の周壁部分に比べて熱伝導率が低い材質で形成してあることを特徴とする。
本発明にあっては、循環ファンが取り付けてある部分は、他の部分に比べて熱伝導率が低いので、収納箱の内部を循環する気体から収納箱側へ移動してきた熱が周壁の一部分に取り付けられた循環ファンへ伝わりにくくなる。また、循環ファンはモータ等の熱に弱い電気駆動部を有するため、上記のように熱を循環ファンへ伝わりにくくすることで、循環ファンの無用な故障を未然に防止し、安定した冷却性を長期に亘り維持できる。
【００２２】
本発明に係るランプハウジングは、光源装置が装着されるハウジング部を備え、該ハウジング部には光源装置を出入させる出入口、及び内部に装着した光源装置から発せられる光を通過させる光通過口が形成してあるランプハウジングにおいて、前記ハウジング部の内部の気体を吸引するように該ハウジング部に取り付けてある吸引ファンと、該吸引ファンが吸引した気体を排出する排気ダクト部とを備えることを特徴とする。
【００２３】
本発明にあっては、ランプハウジングが吸引ファン及び排気ダクト部を備えるので、ハウジング部に装着された光源装置の収納箱を形成する周壁から吸引ファンにより効率的に熱を奪い取ると共に、奪い取った熱を排気ダクトを通じて効率良く排出できる。そのため、ハウジング部に装着された光源装置内に熱が籠もることもなく、光源装置の外部空間に対する放熱性を向上できる。
【００２４】
本発明に係るランプユニットは、前記光源装置と、前記ランプハウジングとを備え、前記ランプハウジングのハウジング部に前記光源装置が装着してあることを特徴とする。
本発明にあっては、上述した収納箱の内方から周壁へ熱を移動させる光源装置を、上述したランプハウジングのハウジング部に装着するので、光源装置の周壁から熱を効率良く奪い取って排出するという熱移動のサイクルを形成でき、防爆的な構造を維持した上で光源の充分な冷却性を確保したランプユニットを実現できる。
【００２５】
また、本発明に係るランプユニットは、前記光源装置の収納箱には、前記循環ファンへの給電に係る第１コネクタが取り付けてあり、前記ランプハウジングのハウジング部には、前記第１コネクタに接合される第２コネクタが取り付けてあり、前記第１コネクタ及び第２コネクタは、前記光源装置が前記ハウジング部に装着された状態で接合される位置に取り付けてあることを特徴とする。
【００２６】
本発明にあっては、光源装置側に取り付けられた循環ファンへの給電に係る第１コネクタと、ランプハウジング側に取り付けられた第２コネクタは、光源装置がハウジング部に装着された状態で接合されるようになっているので、光源装置を装着するだけで両コネクタは自動的に接合され、コネクタの接合作業が不要になる。その結果、光源装置側に循環ファンを設けた場合でも、光源装置の交換時に必要なコネクタ接合作業を簡略化でき、良好なメンテナンス性を提供できる。
【００２７】
さらに、本発明に係るランプユニットは、前記光源装置の収納箱には、前記光源への給電に係る第３コネクタが取り付けてあり、前記ランプハウジングのハウジング部には、前記第３コネクタに接合される第４コネクタが取り付けてあり、前記第３コネクタ及び第４コネクタは、前記光源装置が前記ハウジング部に装着された状態で接合される位置に取り付けてあることを特徴とする。
【００２８】
本発明にあっては、光源装置側の光源への給電に係る第３コネクタと、ランプハウジング側に取り付けられた第４コネクタは、光源装置がハウジング部に装着された状態で接合できる配置になっているので、光源装置を装着するだけで各コネクタ同士は自動的に接合される。そのため、コネクタ接合に係る作業が不要になり、光源装置の交換時に必要な作業量の低減を図れる。
【００２９】
さらにまた、本発明に係るランプユニットは、前記ハウジング部の内部には、前記光源装置の装着を案内する案内部が設けてあることを特徴とする。
本発明にあっては、光源装置の装着を案内する案内部が設けてあるので、光源装置の交換時、案内部でハウジング部に対して光源装置の出し入れを案内でき、光源装置の交換に係る作業の容易化を図れる。
【００３０】
また、本発明に係るランプユニットは、前記ハウジング部の出入口は、前記光通過口に対向しており、前記案内部は、ハウジング部に装着された前記光源装置に係る光軸が、前記ランプハウジングの光学系に係る光学中心と一致するように前記光学装置を位置決めするようにしてあることを特徴とする。
本発明にあっては、ハウジング部の出入口は、光通過口に対向するので、光学系の光学中心となる軸に対して平行的に光源装置を出し入れできるようになり、また、案内部は光源装置に係る光軸と光学中心とが一致するように位置決めを行うので、光源装置をハウジング部に装着すれば、案内部で自動的に光学的な位置決めが行われる。その結果、光源装置の微妙な位置合わせを不要にでき良好なメンテナンス性を確保できる。
【００３１】
本発明に係る投影型画像表示装置は、前記ランプユニットと、該ランプユニットが有する光源から発せられる光で画像に係る変調光を生成する空間光変調素子と、該空間光変調素子が生成した変調光を被投影体へ投影する投影レンズとを備えることを特徴とする。
本発明にあっては、上述した構成のランプユニットを備えるので、光源に係る防爆性を確保した上で、光源の良好な冷却性を維持できるので安定した画像表示を行える。また、一定期間毎に必要となる光源の交換に対しては、良好なメンテナンス性によりスムーズな交換作業を行える。
【発明の効果】
【００３２】
本発明にあっては、光源のリフレクタ内の気体を、対向壁により収納箱の内周面に沿って形成されるダクト空間を通じて循環させるので、気体の熱が収納箱の周壁へ移動すると云う熱伝導を持続でき、防爆構造の光源装置でも充分な冷却性が確保できる。
また、本発明にあっては、収納箱の内周面には気体の循環方向に延在する内部フィンを設けているので、気体が有する熱を一段と収納箱側へ移動させやすくなり、光源の冷却性を向上できる。
さらに、本発明にあっては、切欠を通じて内部を循環する気体を混合でき、温度分布の片寄りを解消して良好な冷却性を維持できる。
【００３３】
また、本発明にあっては、複数の内部フィンを平行的に配列すると共に、リフレクタに形成した通気部の位置に応じた内部フィンの間隔を、他の部分の内部フィンの間隔に比べて狭くすることで、内周面においては全体的に気体流量を一様にでき、温度が部分的に上昇して冷却効率が下がるような事態を防止できる。
さらに、本発明にあっては、複数の内部フィンを平行的に配列すると共に、リフレクタに形成した通気部の位置に対応しない内部フィンの上流側の端部を、通気部の位置に対応する内部フィンの上流側の端部に比べて、下流側へ後退した位置に配置するので、内周面に沿って循環する全体的な気体流量を一様にして、安定した冷却性を確保できる。
【００３４】
また、本発明にあっては、収納箱の外面に外部フィンを設けているので、収納箱が外方の空間と接触する面積を増大して、内部の気体から収納箱側へ移動してきた熱を外方へ効率良く放出でき、収納箱に熱が留まることを防止できる。
さらに、本発明にあっては、外部フィンは、内部フィンと同方向に延在するので、内部フィンで吸収された熱をスムーズに外部フィンへ移動でき、外部フィンから外方へ効率的に熱を放出できる。
【００３５】
さらにまた、本発明にあっては、循環ファンが取り付けてある部分は、他の部分に比べて熱伝導率が低いので、光源による熱の影響で循環ファンに故障が発生するような事態を未然に防止して、循環ファンに対して良好な作動環境を確保できる。
【００３６】
本発明にあっては、ランプハウジングが吸引ファン及び排気ダクト部を備えるので、ハウジング部に装着された光源装置から効率的に熱を奪い取ると共に、奪い取った熱を排気ダクトを通じて効率良く排出でき、光源装置の冷却性維持に貢献できる。
【００３７】
また、本発明にあっては、収納箱の内方から周壁へ熱を移動させる光源装置を、ランプハウジングのハウジング部に装着するので、光源装置の周壁から熱を効率良く奪い取って排出するという熱移動のサイクルを形成して、防爆的な構造を確保しても充分な冷却性能を有するランプユニットを実現できる。
【００３８】
さらに、本発明にあっては、光源装置側に取り付けられた循環ファンへの給電に係る第１コネクタと、ランプハウジング側に取り付けられた第２コネクタは、光源装置がハウジング部に装着された状態で接合されるので、光源装置の交換時に必要な作業量を低減できる。
さらにまた、本発明にあっては、光源装置側の光源への給電に係る第３コネクタと、ランプハウジング側に取り付けられた第４コネクタは、光源装置がハウジング部に装着された状態で接合されるので、光源装置を装着するだけで両コネクタを自動的に接合でき、良好なメンテナンス性を提供できる。
【００３９】
また、本発明にあっては、光源装置の装着を案内する案内部が設けているので、光源装置の交換をスムーズに行える。
さらに、本発明にあっては、ハウジング部の出入口は、光通過口に対向するので、光学系の光学中心となる軸に対して平行的に光源装置を出し入れでき、光源装置の光学的な位置決めを容易に行える。
【００４０】
また、本発明にあっては、光源に係る防爆性を確保した上で、光源の良好な冷却性を維持できるので安定した画像表示を行えると共に、一定期間毎に必要となる光源の交換に対しては、良好なメンテナンス性によりスムーズな交換作業を行える。
【発明を実施するための最良の形態】
【００４１】
図１（ａ）は、本発明の実施形態に係るリアプロジェクション装置１（投影型画像表示装置）を示す。本実施形態のリアプロジェクション装置１は、内部に収納した光源に対する冷却性及びメンテナンス性を従来に比べて向上させたことを特徴としている。
【００４２】
リアプロジェクション装置１は、外観的には下部筐体２及び上部筐体３を組み合わせた構成になっており、下部筐体２は内部に、投影レンズ１２を通じて画像を表す変調光の投影処理を行う光学ユニット１０、装置の全体的な制御処理を行う制御ユニット５、及び各ユニットへ給電を行う給電ユニット４などを収納している。また、上部筐体３は、背面壁部３ａの内面側に反射ミラー１ａを取り付けると共に、前面側の枠部３ｂ内にスクリーン１ｂ（被投影体に相当）を取り付けている。上記構成によりリアプロジェクション装置１では、投影レンズ１２から投影した変調光が反射ミラー１ａでスクリーン１ｂへ反射され、スクリーン１ｂに画像を表示する。
【００４３】
図１（ｂ）は、下部筐体２に収められた光学ユニット１０の平面視を示している。光学ユニット１０はベースプレート１０ａ上に、ランプユニット２０、空間光変調素子１４を内含する光学エンジン１３、及び光学エンジン１３に対する処理回路を含む基板回路部１５を載置している。なお、ランプユニット２０は、ランプハウジング４０の内部に光源２１を含む光源装置３０を装着する一方、ランプハウジング４０の端部を下部筐体２に形成した排気口２ａと通気ダクト２ｂで繋ぎ、ランプユニット２０内の光源２１が発する熱を外方へ排出するようにしている。
【００４４】
また、光学エンジン１３は内部に、光源２１からの光を通過及び反射させる様々な光学系の透光部材を収納し、各種透光部材の通過及び反射により空間光変調素子１４へ光を導き、基板回路部１５の制御処理に基づき空間光変調素子１４で画像を表す変調光を生成する。さらに、光学エンジン１３は、出光箇所に投影レンズ１２を所定の角度で取り付けており、生成した変調光を投影レンズ１２から投影する。
【００４５】
図２は、光学ユニット１０のランプユニット２０を構成するランプハウジング４０及び光源装置３０を分解した状態を示している。ランプハウジング４０は、開口した出入口４１ｃから光源装置３０を装着するボックス状のハウジング部４１、ハウジング部４１の内部の空気（気体）を吸引する吸引ファン４３、及び吸引した空気を排出する排気ダクト部４２を有する。
【００４６】
ハウジング部４１は、基本的に出入口４１ｃ以外の他の五面を被う構造であり、光学ユニット１３へ接合される側の壁部４１ａに光源装置３０が発する光を通過させるための光通過口４１ｂを形成し、この光通過口４１ｂは光学的な中心軸Ｋ２を設計上有しており、ハウジング部４１に光源装置３０が装着されると、光源装置３０の光軸Ｋ３と光通過口４１の中心軸Ｋ２が一致する設計になっている（図６参照）。また、ハウジング部４１は、出入口４１ｃの反対側の周壁部４１ｅの外面に吸引ファン４３を取り付けており、周壁部４１ｅには吸引ファン４３用の吸引口４１ｆを開口している（図６、７参照）。
【００４７】
さらに、図７に示すように、ハウジング部４１は、上板部４１ｄに計２個のコネクタブラケット４１ｇ、４１ｈを立設し、一方のコネクタブラケット４１ｇに光源用のメスコネクタ６７（第４コネクタに相当）を取付固定すると共に、他方のコネクタブラケット４１ｈに光源装置３０に設けられた循環ファン６４用のメスコネクタ６８（第２コネクタに相当）を取付固定している。なお、各メスコネクタ６７、６８は図示していないが、下部筐体２内の所定の電気回路に接続されているものとする。
【００４８】
さらにまた、ハウジング部４１は、上下内面４１ｉ、４１ｊに光源装置３０の装着を案内する案内部として凹状の案内溝４５、４６を形成しており、案内溝４５、４６は、光源装置３０の装着方向に沿って延在している。
【００４９】
なお、図６に示すように、ハウジング部４１の吸引口４１ｆから吸引ファン４３に吸引された空気は吸引ファン４３の側方より排出され、吸引ファン４３の側方に繋がった排気ダクト部４２の端部に形成された開口４２ａから空気が排出される（図６中の矢印の流れ参照）。また、ランプハウジング４０は図２に示すように、ベースプレート１０ａに固定されると、ハウジング部４１の壁部４１ａの外面が、光学エンジン１３の端部に形成されたフランジ部１３ａの端面に接合すると共に、光通過口４１ｂの中心軸Ｋ２が光学エンジン１３の光学中心Ｋ１と一致するようになる。
【００５０】
一方、光源装置３０は、図２乃至図４に示すように、ボックス状の筐体３１の内部に光源２１を略コ字状の固定部材５０を介して固定すると共に、循環ファン６４を取り付けた逆Ｌ字状の閉鎖部材６０で筐体３１の内部を閉鎖し、筐体３１及び閉鎖部材６０で光源２１の収納箱を構成している。本実施形態の光源装置３０は、内部の光源２１が発する熱を外方へ効率良く放熱できるように、循環ファン６４で筐体３１内の空気を循環させて、光源２１の熱を循環する空気に移動させると共に、空気が有する熱を効率良く外方へ放出して光源２１の冷却効率を高めたことを特徴にしている。
【００５１】
図３、４に示すように、光源装置３０の筐体３１の内部に収められる光源２１は略防爆仕様であり、凹状のリフレクタ２２内に発光体２４を取り付けると共に、リフレクタ２２の反射側の開口２２ｃに円板状の防爆ガラス２３を取り付けている。リフレクタ２２は、所要の曲率を有する内周面側を反射面にすると共に外周部における対向箇所に通気部として通気穴２２ａ、２２ｂを形成し、さらに外周壁の頂部に発光体２４の端部を取り付ける円筒部２２ｄを突設している。
【００５２】
リフレクタ２２の円筒部２２ｄは、端部にブロック部材２５を取り付け、このブロック部材２５は発光体２４に導通接続される給電線ｄ１、ｄ２を繋いでいる。各給電線ｄ１、ｄ２は、リフレクタ２２と接触しないように光源２１の後方から筐体３１の外方へ導かれると共に、端末にはオスコネクタ６５（第３コネクタに相当）を取り付けている（図３参照）。なお、発光体２４は、両端を封止した管状部材の中央付近に球状に拡径したチャンバー部２４ａを形成すると共に、チャンバー部２４ａの内部に電極を対向配置したものであり、具体的にはメタルハライドランプ及び高圧水銀ランプ等が相当する。
【００５３】
上述した構成の光源２１は、固定部材５０で固定されて姿勢を一定にした状態で筐体３１の内部に配置される。固定部材５０は、光源２１のリフレクタ２２の外周面を左右から把持する把持壁部５１、５５を有すると共に、一方の把持壁部５１から他方の把持壁部５５へ周方向に連なる三方の側壁部５２、５３、５４を有し、一つの側壁部５４だけを屈折させた形状にしている。なお、把持壁部５１、５５には、光源２１のリフレクタ２２の外周曲率に応じた円弧状の切欠部５１ａ、５５ａを形成し、光源２１を確実に把持すると共に、把持壁部５１、５５とリフレクタ２２との間に隙間ができないようにしている。
【００５４】
固定部材５０は、筐体３１の内部に収められた場合、把持壁部５１、５５及び側壁部５２、５３（対向壁に相当）が、筐体３１の三方の周壁部３２、３３、３４の内面（内周面）と間隔を隔てて対向し、対向する両者の間にダクト空間７０を形成する（図４参照）。なお、このダクト空間７０は、光源２１のリフレクタ２２に形成された通気穴２２ａ、２２ｂを通じてリフレクタ２２の内部と連通する。また、光源装置３０の完成状態では、固定部材５０の一方の側壁部５４は、閉鎖部材６０の循環ファン６４が取り付けられた側板部６１と対向し、屈曲した把持壁部５５側の端部５４ａを側板部６１の内面に当接させて循環ファン６４へ空気を導く導入路を形成している。
【００５５】
さらに、光源装置３０の筐体３１は図３に示すように、上部及び一方の側部を開口した内部が空洞の立方体形状であり、一方の周壁部３２には光源２１から発せられる光を通過させる通過孔３７を形成している。さらにまた、筐体３１は、図４にも示すように、三方の周壁部３２、３３、３４の外面３２ａ、３３ａ、３４ａのそれぞれに複数の外部フィン３８を設けている。外部フィン３８の各々は水平方向に延在し、垂直方向（高さ方向）に間隔を隔てて平行的な配列になっている。
【００５６】
また、外部フィン３８を設けた筐体３１の外形寸法は、図６、７に示すランプハウジング４０のハウジング部４１の内部に収まる範囲内で、出来るだけ大きくなるように、外部フィン３８の突出寸法を規定している（図７では、光源装置３０の外形を二点鎖線で示す）。このように外部フィン３８の突出寸法を規定することで、光源装置３１をハウジング部４１に装着した場合、光源装置３１の側方外面とハウジング部４１の側方内面との間では、光源装置３１の各外部フィン３８間で主に空気が通過するような通過空間７５を生じ、ランプハウジング部４１の吸引ファン４３が作動すると、各外部フィン３８間の通過空間７５を空気が流れて吸引され（図６の矢印参照）、空気と外部フィン３８との接触程度を高めて、外部フィン３８が有する熱を光源装置３０の外方を流れる空気で効率的に奪うようにしている。
【００５７】
さらに、筐体３１は、三方の周壁部３２、３３、３４の内面３２ｂ、３３ｂ、３４ｂのそれぞれに複数の内部フィン３９を設けている。内部フィン３９の各々は外部フィン３８と同様に水平方向に延在すると共に、垂直方向に間隔を隔てて平行的に配列されている。また、内部フィン３９の突出寸法は、筐体３１の内部に固定部材５０が配置されて形成されるダクト空間７０の幅寸法Ｗに収まる範囲で、出来るだけ大きくなるように設定している（図５参照）。このように内部フィン３９の突出寸法を規定することで、ダクト空間７０内の空気は、各内部フィン３９間を移動することになり、空気と内部フィン３９との接触する程度を高め、空気が有する熱を内部フィン３９へ移動しやすくしている。
【００５８】
なお、筐体３１は、図４に示すように、内部の隅部には内部フィン３９を設けないようにして、空気だまりとなる隅空間７０ａ、７０ｂ、７０ｃが形成している。隅空間７０ａ〜７０ｃでは各内部フィン３９の間を流れてきた空気が混ざり合い、循環する空気温度が万遍なく同等になるようにして、一部の空気だけが温度が高くなるような事態を回避し、スムーズに空気へ熱が移動するようにしている。
【００５９】
また、内部フィン３９から周壁部３２、３３、３４を通じて外部フィン３８への熱移動をスムーズに行うためには、筐体３１を構成する材質には熱伝導性が良好なもの（例えば、アルミニウムなどの金属材料）を用いることが好ましく、本実施形態ではコストとのバランスを考慮して、筐体２１の周壁部３２〜３４、底部３５、外部フィン３８、及び内部フィン３９を鉄で形成している。なお、各フィン３８、３９は鋳造等により周壁部３２〜３４と一体的に形成すること、又は別体の両者を取り付けて一体化することの両方が適用可能である。
【００６０】
さらにまた、筐体３１は、上下の縁端部に凸部３１ａ、３１ｂを突設している（図３、７参照）。各凸部３１ａ、３１ｂは、光源装置３０をランプハウジング４０のハウジング部４１に装着する際、ハウジング部４１の上下内面４１ｉ、４１ｊに設けた案内溝４５、４６内に嵌合すると共に、案内溝４５、４６に沿って摺動し、光源装置３０の装着案内及び位置決めを行えるようにしている。さらに、筐体３１は、側方の開口側の端に循環ファン６４用のダクト部３６を設けている。
【００６１】
一方、筐体３１の開口を閉鎖する閉鎖部材６０は、筐体３１の上方を閉鎖する上板部６２と筐体３１の側方を閉鎖する側板部６１が組み合わされた構造であり、側板部６１に循環ファン６４を取り付けている。側板部６１は、光源装置３０の内部を循環する空気の熱が循環ファン６４に伝わりにくくするため、筐体３１の各周壁部３２〜３４に比べて熱伝導率が低い材質を用いており、本実施形態ではセラミックスを用いている。なお、セラミックス以外には石英等を材料にするガラス部材、金属に比べて熱伝導率が低い合成樹脂等を用いることが可能である。
【００６２】
また、閉鎖部材６０は、側板部６１の上端にコネクタホルダー６１ａを突設しており、このコネクタホルダー６１ａに光源２１用のオスコネクタ６５及び循環ファン６４用のオスコネクタ６６（第１コネクタに相当）を取り付けている。なお各オスコネクタ６５、６６の取付位置は、光源装置３０がランプハウジング４０のハウジング部４１に装着された際、ハウジング部４１の上部に取り付けられた各メスコネクタ６７、６８に接合できる箇所になっている。
【００６３】
側板部６１に取り付けられた循環ファン６４は、シロッコファンであり、図４に示すように側板部６１に形成した吸入口６１ｂから空気を吸引し、側方に設けた排気口６４ａ（図３参照）から吸引した空気を排出する。
【００６４】
次に、光学ユニット１０のランプユニット２０の組立に係る手順を説明する。先ず、光源装置３０を組み立てるには、図３に示すように、光源２１を挟持した固定部材５０を筐体３１の内部に配置固定する。この配置固定により、リフレクタ２２の反射面が筐体３１の通過孔３７に対向すると共に防爆ガラス２３の外面が周壁部３２の内面３２ａに当接して光源２１の姿勢が固定され、光源装置３０の光軸Ｋ３が規定通りに定まる。この状態で循環ファン６４を有する閉鎖部材６０を筐体３１の開口に取り付けることで筐体３１の内部が閉鎖され、防爆構造の光源装置３０が完成する。なお、完成した状態では、循環ファン６４の排気口６４ａが筐体３１のダクト部３６と連結されると共に、光源装置３０の内部には、筐体３１の周壁部３２〜３４に沿って空気が循環できる循環路としてダクト空間７０が形成される。
【００６５】
また、図２に示すように、ランプハウジング４０は、光学ユニット１０のベースプレート１０ａの所定位置に固定され、光学エンジン１３と接合される。それから、ベースプレート１０ａに固定されたランプハウジング４０のハウジング部４１に光源装置３０を出入口４１ｃから装着する。
【００６６】
この装着の際、光源装置３０は、図７に示すように、凸部３１ａ、３１ｂ及び案内溝４５、４６の摺動案内によりスムーズに装着される。さらに、光源装置３０を奥まで押し込むと、図８（ａ）（ｂ）に示すように、ペアとなる光源２１用のメスコネクタ６７及びオスコネクタ６５、並びに循環ファン６４用のメスコネクタ６８及びオスコネクタ６６が対向していた状態から接合されて、各コネクタ６５〜６８のロック部６５ａ〜６８ａによりロック結合される。そのため、各コネクタ６５〜６８の接合作業は不要になっている。このように光源装置３０を装着してから、光源装置３０及びハウジング部４１の所定箇所をネジ止めして両者を固定することで、光源装置３１の光軸Ｋ３とハウジング部４１の中心軸Ｋ２が一致し、ランプユニット２０は完成する。
【００６７】
次に、完成したランプユニット２０を含むリアプロジェクション装置１（図１（ａ）（ｂ）参照）で画像を表示する際の光源装置３１に対する冷却状況を説明する。図４に示すように、画像表示中、循環ファン６４が作動して光源装置３１の空気の吸引及び排気を行うことで、光源装置３１の内部の空気は図中の矢印方向に循環する。
【００６８】
詳しくは、循環ファン６４の排気口６４ａから排出された空気は、リフレクタ２２の一方の通気穴２２ａを通過して、リフレクタ２２内に進行して発光体２４及びリフレクタ２２の内面と接触し、発光体２４及びリフレクタ２２から熱を奪う。熱を奪って熱くなった空気は、リフレクタ２２の他方の通気穴２２ｂを通過してダクト空間７０を循環することになる。
【００６９】
この際、図５に示すように、空気は複数の内部フィン３９の間の空間を通過することになるため、各内部フィン３９及び周壁部３２〜３４の内周面と接触する程度が高く、ダクト空間７０を通過中に空気の有する熱は内部フィン３９及び周壁部３２〜３４の内周面を通じて周壁部３２〜３４へ効率的に移動する。また、筐体３１の隅空間７０ａ、７０ｂ、７０ｃでは、平行的な複数の内部フィン３９の間を通過してきた空気が混ざり合うため、一部の空気のみの温度が高くなること、及び温度が高い空気が流れる箇所で良好な熱移動が妨げられるような事態が発生しないようにしている。
【００７０】
このような熱の移動により、光源装置３０の内部を循環する空気は光源２１で温度が上がる一方、光源２１を通過してから循環ファン６４で吸引されるまでに温度が低下するため、温度が下がった状態で循環ファン６４から排出されて光源２１のリフレクタ２２内を再通過することで光源２１を継続して効率的に冷却できる。なお、内部フィン３９は水平方向に延在するため、空気の循環をスムーズに案内する。
【００７１】
一方、光源装置３０の外方では、図６に示すように、画像表示中、ランプハウジング４０の吸引ファン４３が作動しているため、光源装置３０の外部ファン３８に沿った方向に空気の流れが生じており、移動する空気の流れにより光源装置３０の周囲温度は周壁部３２〜３４の温度に比べて低くなっている。そのため、光源装置３１の周壁部３２〜３４に移動した熱は外部フィン３８から光源装置３０の外方を流れる空気へ移動する。
【００７２】
この際、光源装置３０の外方を流れる空気は、図７に示すように、外部フィン３８の間の通過空間７５を通るので、外部フィン３８及び周壁部３２〜３４の外面と接触する程度が高くなり、外部フィン３８及び周壁部３２〜３４が有する熱を効率的に奪い取る。光源装置３１から熱を奪い取った空気は、図６に示すように、吸引ファン４３により吸引されて排気ダクト部４２の開口４２ａを通じて外方へ排出される。
【００７３】
よって、本発明に係るリアプロジェクション装置１は、閉鎖構造の光源装置３０により防爆仕様を確保した上で、上述したような熱の移動により、良好な冷却性を有するため、安定した画像表示を行える。また、光源装置３０を何らかの理由で交換する必要がある場合も、ハウジング部４１の案内により出し入れが容易であると共に、各コネクタ６５〜６８の接合作業も不要であるため、良好なメンテナンス性を確保している。
【００７４】
なお、本発明は、上述した実施形態に限定されるものではなく、種々の変形例の適用が可能である。ランプハウジング４０に光源装置３０を装着した構成のランプユニット２０は、図１（ａ）（ｂ）に示すリアプロジェクション装置１以外にも、フロントプロジェクション方式の投影型画像表示装置にも適用可能であり、この場合は、光学ユニット１０及び投影レンズ１２のレイアウトをフロントプロジェクション方式に合うように修正することになる。
【００７５】
また、光源装置３０では、外部フィン３８及び内部フィン３９は側壁となる周方向以外にも、上下板部の外面及び内面に設けて、熱伝導性を更に高めてもよい。さらに、筐体３１の各周壁部３２〜３４に設ける外部フィン３８及び内部フィン３９の数は最低１つから可能であり、さらにまた複数設ける場合は２以上の数から適用可能である。また、各フィン３８、３９には切欠としてスリットを形成することも可能である。
【００７６】
例えば、図９（ａ）に示すように、周壁部３３の内面３３ｂに設けた複数の内部フィン３９′の延在する方向（図中の矢印方向、空気の循環する方向と一致、以下同様）の途中にスリット３９ａ′を設けてもよい。このようにスリット３９ａ′を設けることで、各内部フィン３９′の間を流れる空気がスリット３９ａ′を通じて相互に入り込むことになり、図４に示す隅空間７０ａ〜７０ｃ以外でも循環する空気が適宜混合し、空気温度の片寄りを確実に解消できる。また、スリット３９ａ′を設けた箇所では、内部フィン３９′の切欠端部３９ｂ′に空気が衝突する程度が高まり、空気から内部フィン３９′への熱移動を一段と促進できる。
【００７７】
なお、スリット３９ａ′を設ける箇所は、平行的に配列された各内部フィン３９′の垂直方向での同一位置に限定されず、各内部フィン３９′ごとに位置をずらしてスリット３９ａ′を設けても良い。さらに、一つの内部フィン３９′に複数のスリット３９ａ′を設けてもよく、複数設けた場合は、空気の混合度合及び内部フィン３９′と空気の衝突度合を更に高められる。
【００７８】
図９（ｂ）は周壁部３３の内面３３ｂに設けた内部フィン３９″に対して、多数のスリット３９ａ″を形成した場合を示し、このようにスリット３９ａ″を多数設けることで、残存する内部フィン３９″は内面３３ｂから細片状に突出した形態になり、空気と各内部フィン３９″との接触箇所が格段に増加すると共に、空気の混合度が一段と増し、空気から内部フィン３９″への熱の移動を一段とスムーズに行える。なお、上述した切欠に係る変形例の構成は、外部フィン３８に対しても勿論適用可能である。
【００７９】
図１０（ａ）は内部フィンに係る別の変形例を示し、この変形例では、周壁部３３の内面３３ｂに設けた複数の内部フィン８１〜８７の間隔（ピッチ）を同一にしていないところが特徴である。具体的には、図３、４に示す光源２１のリフレクタ２２に形成した通気穴２２ａ、２２ｂに高さ方向（垂直方向）で対応する位置範囲（通気穴２２ａ、２２ｂと同等の高さ範囲）に含まれる中央部分の内部フィン８３〜８５の間隔寸法Ｘ１を、高さ方向で中央部分から上下側に位置する内部フィン８１〜８３、８５〜８７の間隔寸法Ｘ２に比べて狭くしている（Ｘ１＜Ｘ２）。
【００８０】
即ち、リフレクタ２２に形成した通気穴２２ａ、２２ｂと同じ高さになる中央部分は、通気穴２２ｂを通過した空気が自然と流れ込むが、中央部分より上側及び下側（通気穴２２ａ、２２ｂと位置的に対応しない部分）は通気穴２２ｂを通過した進路を曲げなければならないため、流量が不足がちになる。そのため、上述したように、中央部分の内部フィン８３〜８５の間隔寸法Ｘ１を狭くすることで、内部フィン８３〜８５の間には空気が流れ込みにくくなる一方、上下側へ空気が流れやすくなり、周壁部３３の内面３３ｂで全体的にみると、空気の流れる量が平均化され、中央部分に集中して空気が流れることが解消される。その結果、光源装置３０の内部を流れる空気から筐体３１への熱移動も全体的に行われ、部分的に温度が上昇して冷却を妨げる事態を確実に防止できる。
【００８１】
また、内部フィン３９のピッチを変える以外にも、図１０（ｂ）に示すように、周壁部３３の内面３３ｂに設けた各内部フィン９１〜９７の延在長さを変えて、空気流量の平均化を図ってもよい。即ち、リフレクタ２２の通気穴２２ａ、２２ｂに高さ的に対応した中央部分に位置する内部フィン９３〜９５は、空気の循環方向で上流側に位置する端部９３ａ〜９５ａを周壁部３３の端部３３ｃ側に配置している。また、中央部分から上下に少し離れた内部フィン９２、９６の上流側の端部９２ａ、９６ａは、中央部分の端部９３ａ〜９５ａより下流側に後退させており、中央部分から更に離れた上下の内部フィン９１、９７の上流側の端部９１ａ、９７ａは、中央部分寄りの内部フィン９２、９６の端部９２ａ、９６ａより下流側に位置させている。
【００８２】
上述したように上流側の端部９１ａ〜９７ａを配置することで、中央部分の内部フィン９３〜９５の間へ入り込む抵抗が、中央部分より上下に比べて大きくなり、中央部分の空気を上下方向へ振り分けて空気流量の分散できる。
【００８３】
また、図１１は、光源装置３０の一つの周壁部３３の外面３３ａに設けた外部フィン３８の変形例を示している。光源装置３０がランプハウジング４０のハウジング部４１に装着された場合、周壁部３３の外面３３ａはランプハウジング４０に取り付けられた吸引ファン４３に吸引口４１ｆを通じて対向するため（図６、７参照）、吸引ファン４３が有する回転羽根（図７参照）の位置及び傾きに合わせて複数のスリット３８ａを設けている。このようにスリット３８ａを設けることで、吸引ファン４３で吸引される空気が各スリット３８ａを通じて吸引されやすくなり、それに伴い光源装置３０の冷却効率を向上に貢献できる。
【００８４】
図１２は、変形例のランプユニット１００を示している。変形例のランプユニット１００は、光源装置１１０をランプハウジング１４０のハウジング部１４１へ、光軸Ｋ３に沿った方向から装着することを特徴にしており、このようにすることで、ランプハウジング１４０の光通過口１４１ｂに係る中心軸Ｋ２に光源装置１１０の光軸Ｋ３を一致させる精度を高めることができる。
【００８５】
具体的に変形例のランプハウジング１４０は、ハウジング部１４１の出入口１４１ｃを、光通過口１４１ｂを設けた壁部４１ａに対向する側に形成すると共に、上下内面には案内溝１４５を中心軸Ｋ２に平行に形成している。また、吸引ファン４３から延出する排気ダクト部１４２は、ハウジング部１４１の出入口１４１ｃを塞がない形状にしている。一方、変形例の光源１１０は、循環ファン１１３の位置を光源１２０の後方側に配置するようにレイアウトを変形し、筐体１１１の三方の外周面には外部フィン１１５を形成し、上下部にはハウジング部の案内溝１４５に係合摺動する凸部１１１ａを突設している。なお、案内溝１４５及び凸部１１１ａは、中心軸Ｋ２及び光軸Ｋ３を一致させるように精度良く形成されている。
【００８６】
よって、光源装置１１０をハウジング部１４１に装着すると、凸部１１１ａが案内溝１４５に係合して光源装置１１０が位置決めされ、光軸Ｋ３と中心軸Ｋ２が一致し、凸部１１１ａを案内溝４５に沿って摺動させることで、光源装置１１０を精度良くハウジング部１４１に装着可能となる。なお、光源及び循環ファン１１３に係る電気的な接続を行うコネクタ接合に関しては（図８（ａ）（ｂ）参照）、接合に係るロック係合力を高めることで、ハウジング部１４１（４１）へ装着した光源装置１１０（３０）のネジ止めを省略できるようにしてもよい。また、光源装置１１０（３０）の循環ファン１１３（６４）を取り付けた側面には、取手を設けて光源装置１１０（３０）の引き抜きの容易化を図ってもよい。
【００８７】
図１３は、別の変形例の光源装置１５０を示しており、この変形例の光源装置１５０は、リフレクタ１６２に防爆ガラスを取り付けていない非防爆仕様の光源１６１を用いる一方、筐体１５１の通過孔１５７に防爆ガラス１９０を取り付けることで、筐体１５１側で防爆に対応している。光源１６１は、発光体１６４を取り付けたリフレクタ１６２の端面１６２ｃを筐体１５１の周壁部１５２の内面から間隔を隔てて固定部材１７０により固定配置されている。このように配置されることでリフレクタ１６２の内部は筐体１５１の内部と連通する。
【００８８】
その他の箇所は、図４に示す構成と同等であり、筐体１５１の周壁部１５２〜１５４の外面には外部フィン１５８を設けると共に、周壁部１５３〜１５４の内面に内部フィン１５９を設け、循環ファン１８０によりダクト部１５６から排出する空気を循環路に相当するダクト空間１７５を通じて循環させている。この変形例では、リフレクタ１６２に通気穴を形成していないので、リフレクタ１６２の製作が容易であると共に、リフレクタ１６２の大面積の前方開口から空気が流入及び流出するため、空気の通過がスムーズになり、リフレクタ１６２及び発光体１６４の熱を効率良く奪い取ることが可能になる。
【図面の簡単な説明】
【００８９】
【図１】（ａ）は本発明の実施形態に係るリアプロジェクション装置の断面図であり、（ｂ）は（ａ）のＡ−Ａ線における断面図である。
【図２】光学ユニットの分解斜視図である。
【図３】光源装置の分解斜視図である。
【図４】図２のＢ−Ｂ線における光源装置の断面図である。
【図５】図４のＤ−Ｄ線における光源装置の要部断面図である。
【図６】図２のＣ−Ｃ線におけるランプユニットの断面図である。
【図７】図６のＥ方向からのランプハウジングの視図である。
【図８】（ａ）は光源装置が装着される際の各コネクタが接合される前の状態を示す概略図、（ｂ）は各コネクタが接合された状態を示す概略図である。
【図９】（ａ）はスリットを設けた変形例の内部フィンを示す概略図、（ｂ）は別の変形例の内部フィンを示す概略図である。
【図１０】（ａ）は各内部フィンの間隔を相異させた変形例の概略図、（ｂ）は各内部フィンの端部の位置を相異させた変形例の概略図である。
【図１１】スリットを設けた変形例の外部フィンを示す概略図である。
【図１２】変形例のランプユニットの概略断面図である。
【図１３】変形例の光源装置の断面図である。
【符号の説明】
【００９０】
１  リアプロジェクション装置
１０  光学ユニット
２０  ランプユニット
２１  光源
２２  リフレクタ
２２ａ、２２ｂ  通気穴
２４  発光体
３１  筐体
３１ａ、３１ｂ  凸部
３２〜３４  周壁部
３７  通過孔
３８  外部フィン
３９  内部フィン
４０  ランプハウジング
４１  ハウジング部
４２  排気ダクト部
４３  吸引ファン
４５、４６  案内溝
５０  固定部材
５１、５５  把持壁部
５２、５３、５４  側壁部
６０  閉鎖部材
６１  側板部
６４  循環ファン
６５、６６  オスコネクタ
６７、６８  メスコネクタ
７０  ダクト空間
【図１】
2006350237.tif 000003
【図２】
2006350237.tif 000004
【図３】
2006350237.tif 000005
【図４】
2006350237.tif 000006
【図５】
2006350237.tif 000007
【図６】
2006350237.tif 000008
【図７】
2006350237.tif 000009
【図８】
2006350237.tif 000010
【図９】
2006350237.tif 000011
【図１０】
2006350237.tif 000012
【図１１】
2006350237.tif 000013
【図１２】
2006350237.tif 000014
【図１３】
2006350237.tif 000015